(57)【要約】【課題】  足の甲や脛があぶみ上部の円弧部に当たっても、痛み等の不快感を生じることがない揺動型運動装置を提供する。【解決手段】  揺動型運動装置１０において、あぶみ１５の輪部１５ｂは、正面視で略逆Ｕ字形状に形成して、この略逆Ｕ字形状の下端同士の連結部分を足掛け部１５ｐとする一方、略逆Ｕ字形状の両側部１５ｒ，１５ｓを前後方向の幅広面Ｗ３に形成するとともに、円弧部１５ｔを上下方向の幅広面Ｗ４に形成して、足の甲Ｍ１や脛があぶみ上部の円弧部１５ｔに当たっても、円弧部１５ｔは、上下方向の幅広面Ｗ４であるので、痛み等の不快感を生じることがなくなる。【選択図】      図４
2006230532.tif 000002
【特許請求の範囲】
【請求項１】
使用者が跨って着座可能な座部と、この座部を揺動運動させる運動機構と、前記座部の左右位置の上ヒンジ部材に吊下げ部の上端が前後回動可能に吊下げられ、この吊下げ部の下端に使用者が足先を掛ける輪部を有するあぶみとを備えた揺動型運動装置において、
前記あぶみの輪部は、正面視で略逆Ｕ字形状に形成して、この略逆Ｕ字形状の下端同士の連結部分を足掛け部とする一方、略逆Ｕ字形状の両側部を前後方向の幅広面に形成するとともに、円弧部を上下方向の幅広面に形成したことを特徴とする揺動型運動装置。
【請求項２】
前記円弧部の少なくとも一部は、足掛け部の前寄りに位置させたことを特徴とする請求項１に記載の揺動型運動装置。
【請求項３】
前記輪部の足掛け部の上面は、前側が高く後側が低い傾斜面に形成したことを特徴とする請求項１または２に記載の揺動型運動装置。
【発明の詳細な説明】
【技術分野】
【０００１】
本発明は、座部を揺動運動させることで、座部に着座した使用者に運動負荷を付与する揺動型運動装置に関するものである。
【背景技術】
【０００２】
前記のような揺動型運動装置は、子供から老人まで利用可能な手軽な運動器具として、当初のスポーツクラブから、一般家庭へと普及してきている。
【０００３】
このような揺動型運動装置としては、例えば図７（ａ）に示すように、運動機構１に設けた鞍状の座部２に使用者Ｍが跨って着座するとともに、この座部２の左右位置に吊下げたあぶみ３の輪部３ａに使用者Ｍが足先を掛けた状態おいて、運動機構１で座部２を揺動運動させるようにしたものがある（例えば、特許文献１参照）。
【０００４】
前記あぶみ３としては、前記特許文献１に記載されているようなＬ字状のものを用いることも可能であるが、図７（ａ）のように、使用者Ｍが足先１２を掛ける輪部３ａを有したものがある。
【０００５】
前記輪部３ａは、正面視で略逆Ｕ字形状に形成して、この略逆Ｕ字形状の下端同士の連結部分を足掛け部３ｂとする一方、略逆Ｕ字形状の両側部分３ｃと円弧部分３ｄとは、側面視で足掛け部３ｂと同一の前後幅Ｗ１の幅広面に形成している。
【特許文献１】特開２００４−２１６０７３号公報
【発明の開示】
【発明が解決しようとする課題】
【０００６】
しかしながら、前記輪部３ａを有したあぶみ３を用いて、あぶみ３の輪部３ａに使用者Ｍが足先を掛けた状態で座席２を揺動運動させているときに、あぶみ上部の円弧部３ｄが使用者Ｍの足の甲Ｍ１の真上に位置するために、足の甲Ｍ１が上下厚みＴ１の薄い円弧部３ｄの縁（エッジ）部に当たって（符号ａ参照）、痛み等の不快感を生じることがあった。なお、身長の低い使用者では、足の脛Ｍ２が厚みＴ１の薄い円弧部３ｄの縁部に当たることもある。
【０００７】
本発明は、前記問題を解消するためになされたもので、足の甲や脛があぶみ上部の円弧部に当たっても、痛み等の不快感を生じることがない揺動型運動装置を提供することを目的とするものである。
【課題を解決するための手段】
【０００８】
前記課題を解決するために、本発明に係る揺動型運動装置は、使用者が跨って着座可能な座部と、この座部を揺動運動させる運動機構と、前記座部の左右位置の上ヒンジ部材に吊下げ部の上端が前後回動可能に吊下げられ、この吊下げ部の下端に使用者が足先を掛ける輪部を有するあぶみとを備えた揺動型運動装置において、前記あぶみの輪部は、正面視で略逆Ｕ字形状に形成して、この略逆Ｕ字形状の下端同士の連結部分を足掛け部とする一方、略逆Ｕ字形状の両側部を前後方向の幅広面に形成するとともに、円弧部を上下方向の幅広面に形成したことを特徴とするものである。
【０００９】
円弧部に足の甲等が当たりにくくするために、前記円弧部の少なくとも一部は、足掛け部の前寄りに位置させた構成とすることが好ましい。
【００１０】
円弧部に足の甲等が当たりにくくするために、前記輪部の足掛け部の上面は、前側が高く後側が低い傾斜面に形成した構成とすることが好ましい。
【発明の効果】
【００１１】
本発明によれば、あぶみの輪部の円弧部を上下方向の幅広面に形成したから、あぶみの輪部に使用者が足先を掛けた状態で座席を揺動運動させているときに、足の甲や脛があぶみ上部の円弧部に当たっても、円弧部は、上下方向の幅広面であるので、痛み等の不快感を生じることがなくなる。
【発明を実施するための最良の形態】
【００１２】
以下、本発明を実施するための最良の形態について、図面を参照しながら詳細に説明する。
【００１３】
図１は揺動型運動装置１０の斜視図、図３は側面図である。この揺動型運動装置１０は、使用者が跨って着座可能な座部１１と、この座部１１を揺動運動させる運動機構１２と、前記座部１１の高さを調節する昇降機構１３と、前記座部１１の左右位置の上ヒンジピン１４に吊下げ部１５ａの上端が前後回動可能に吊下げられ、この吊下げ部１５ａの下端に使用者が足先を掛ける輪部１５ｂを有するあぶみ１５とを備えている。前記座部１１側と運動機構１２側との間の隙間は、伸縮自在な目隠し用カバー２０で覆うことが好ましい。なお、１６は、座部１１の前部に前後揺動可能に設けたハンドルである。
【００１４】
前記運動機構１２は、具体的に図示しないが、内蔵された電動モータ、クランクアーム等によって、座部１１を前後方向、左右方向、上下方向に３次元的に揺動運動させるものである。
【００１５】
前記昇降機構１３は、具体的に図示しないが、内蔵された電動モータ、ラック・ピニオン（若しくはねじ軸）等によって、座部１１を上昇位置Ｕと下降位置Ｄとに昇降させて、座部１１の高さを調節するものである。
【００１６】
図２は着座した使用者から見て左側位置のあぶみ１５の分解斜視図である。前記座部１１の左位置に逆Ｌ字状の取付け金具１７が固定され、この取付け金具１７に前記上ヒンジピン１４が左方に突出して固定されている。
【００１７】
前記あぶみ１５は合成樹脂成型品であり、このあぶみ１５の吊下げ部１５ａは、上吊下げ部１５ｃと下吊下げ部１５ｄとに２分割されて、上吊下げ部１５ｃの上端穴１５ｅを前記上ヒンジピン１４に側方から着脱可能に嵌め込むことにより、上ヒンジピン１４に上吊下げ部１５ｃの上端が前後回動可能に吊下げられることになる。この上吊下げ部１５ｃの下端には、下ヒンジピン１５ｆが固定されている。
【００１８】
前記下吊下げ部１５ｄの下端には、前記輪部１５ｂが一体的に設けられるとともに、この下吊下げ部１５ｄには、前記座部１１に対するあぶみ１５の高さ調節用穴１５ｇが上下方向に多段（本例では４段）で形成されている。この調節用穴１５ｇの１つを前記上吊下げ部１５ｃの下ヒンジピン１５ｆに側方から着脱可能に嵌め込むことにより、下ヒンジピン１５ｆに下吊下げ部１５ｄが前後回動可能に吊下げられることになる。
【００１９】
図４は着座した使用者側から見た前記あぶみ１５の輪部１５ｂの正面斜視図、図５（ａ）は平面図、図５（ｂ）は正面図、図６（ａ）は側面図、図６（ｂ）は側面断面図である。
【００２０】
前記あぶみ１５の輪部１５ｂは、正面視で略逆Ｕ字形状に形成されて、この略逆Ｕ字形状の下端同士の連結部分が前後幅Ｗ２でフラットな足掛け部１５ｐとなっていて、この足掛け部１５ｐの上面には、滑り止め用突条１５ｑが形成されている。
【００２１】
前記輪部１５ｂの略逆Ｕ字形状の両側部１５ｒ，１５ｓは、足掛け部１５ｐよりもやや狭い前後幅Ｗ３（Ｗ２＞Ｗ３）の幅広面に形成している。
【００２２】
また、前記輪部１５ｂの略逆Ｕ字形状の円弧部１５ｔは、両側部１５ｒ，１５ｓとほぼ同じ上下幅Ｗ４（Ｗ３＝Ｗ４）の幅広面に形成している。
【００２３】
具体的には、前記両側部１５ｒ，１５ｓの内、内側となる側部１５ｒは、ほぼ前後幅Ｗ３のままで円弧部１５ｔに連なるように形成している。また、外側となる側部１５ｓは、円弧部１５ｔに近づくに従って前方に前後幅Ｗ３が狭くなる（略直角三角形）ように形成するとともに、円弧部１５ｔに連なる部分では、円弧部１５ｔの前後厚みＴ２とほぼ同じになるように形成している。
【００２４】
前記円弧部１５ｔの少なくとも一部、具体的には足の甲Ｍ１や脛Ｍ２が当たる部分は、足掛け部１５ｐの前寄りに位置させている。すなわち、円弧部１５ｔは、足掛け部１５ｐの真上ではなく、足掛け部１５ｐの前寄りに位置させているうえに、前後方向の幅広面（Ｗ３参照）ではなく、上下方向の幅広面（Ｗ４参照）に形成している。
【００２５】
前記あぶみ１５の輪部１５ｂの足掛け部１５ｐの上面１５ｕは、前側が高く後側が低い傾斜面に形成している。
【００２６】
前記のように揺動型運動装置１０を構成すれば、あぶみ１５の輪部１５ｂの円弧部１５ｔを上下方向の幅広面（Ｗ４参照）に形成したから、あぶみ１５の輪部１５ｂに使用者Ｍが足先を掛けた状態で座席１１を揺動運動させているときに、あぶみ上部の円弧部１５ｔが使用者Ｍの足の甲Ｍ１のほぼ真上に位置するものの、上下方向の幅広面であるので、足の甲Ｍ１が円弧部１５ｔに当たっても、円弧部１５ｔの縁（エッジ）部では無く、幅広面であるために、痛み等の不快感を生じることがなくなる。
【００２７】
加えて、円弧部１５ｔの足の甲Ｍ１や脛Ｍ２が当たる部分を足掛け部１５ｐの前寄りに位置させたから、円弧部１５ｔが足の甲Ｍ１から離れた位置となるので、円弧部１５ｔに当たりにくくなる〔図６（ｂ）の符号ａは、図７（ｂ）の従来の円弧部３ｄの縁（エッジ）部に足の甲Ｍ１が当たるポイントを示す。〕。
【００２８】
また、あぶみ１５の輪部１５ｂの足掛け部１５ｐの上面１５ｕは、前側が高く後側が低い傾斜面に形成したから、この上面１５ｕの傾斜面で足先の筋力の向上が図れるとともに、足先が斜め上向きになって、円弧部１５ｔから足の甲Ｍ１がより離れた位置となるので、円弧部１５ｔに当たりにくくなる。
【図面の簡単な説明】
【００２９】
【図１】本発明の実施形態の揺動型運動装置の斜視図である。
【図２】図１のあぶみの分解斜視図である。
【図３】図１の揺動型運動装置の側面図である。
【図４】着座した使用者側から見たあぶみの輪部の正面斜視図である。
【図５】あぶみであり、（ａ）は平面図、（ｂ）は正面図である。
【図６】あぶみであり、（ａ）は側面図、（ｂ）は側面断面図である。
【図７】従来の揺動型運動装置であり、（ａ）は正面図、（ｂ）はあぶみの側面断面図である。
【符号の説明】
【００３０】
１０    揺動型運動装置
１１    座部
１２    運動機構
１４    上ヒンジピン（上ヒンジ部材）
１５    あぶみ
１５ａ  吊下げ部
１５ｂ  輪部
１５ｐ  足掛け部
１５ｒ，１５ｓ  両側部
１５ｔ  円弧部
１５ｕ  上面
Ｍ      使用者
Ｍ１    足の甲
Ｗ３    前後幅（前後方向の幅広面）
Ｗ４    上下幅（上下方向の幅広面）
【図１】
2006230532.tif 000003
【図２】
2006230532.tif 000004
【図３】
2006230532.tif 000005
【図４】
2006230532.tif 000006
【図５】
2006230532.tif 000007
【図６】
2006230532.tif 000008
【図７】
2006230532.tif 000009